(57)【要約】【課題】  洗面化粧台といった水槽付き家具が建築壁に固定されたままの状態であっても、建築壁を損傷させることなく、容易に水栓装置を取り付けることができる水槽付き家具を提供する。【解決手段】  建築壁と隙間を空けて対向するよう立設される立壁と、立壁の前面側に設けられる水槽とを有し、建築壁に取り付けられるカウンターと、立壁に取り付けられる水栓装置と、を備える水槽付き家具であって、水栓装置は、給水配管と、給湯配管と、給水配管及び給湯配管が接続される湯水混合栓と、を有し、給水配管及び給湯配管は、少なくとも一方が耐圧ホースであり、湯水混合栓が立壁の前面側に配設される一方、給水配管及び給湯配管は立壁に形成された貫通孔に前面側から挿入されて立壁の背面側に配設され、貫通孔は、給水配管及び給湯配管を、貫通孔の前面側の上方から立壁の背後となる水槽の後方領域を向いた斜め方向に挿入することが可能な大きさを有する。【選択図】  図４
2015063859.tif 000002
【特許請求の範囲】
【請求項１】
背面が建築壁と隙間を空けて対向するよう立設される立壁と、前記立壁の前面側に設けられ水を受ける水槽とを有し、前記建築壁に対し直接又は間接的に取り付けられるカウンターと、
前記立壁に取り付けられる水栓装置と、を備える水槽付き家具であって、
前記水栓装置は、水を供給する給水配管と、湯を供給する給湯配管と、前記給水配管及び給湯配管が接続され供給される湯と水を混合する湯水混合栓と、を有し、
前記給水配管及び給湯配管は、その少なくとも一方が耐圧ホースであり、
前記湯水混合栓が前記立壁の前面側に配設される一方、前記給水配管及び給湯配管は前記立壁に形成された貫通孔に前面側から挿入されて前記立壁の背面側に配設され、
前記貫通孔は、前記給水配管及び給湯配管を、前記貫通孔の前面側の上方から前記立壁の背後となる前記水槽の後方領域に向けて斜め下向きへの挿入を可能とすることを特徴とする水槽付き家具。
【請求項２】
前記水栓装置は、前記貫通孔と前記湯水混合栓との間の隙間を前記立壁の前面側から覆うフランジを有することを特徴とする請求項１記載の水槽付き家具。
【請求項３】
前記貫通孔は、上下方向に広がる長孔とすることを特徴とする請求項２記載の水槽付き家具。
【請求項４】
前記湯水混合栓は、前記フランジの中心よりも上方に偏った位置に配設することを特徴とする請求項３記載の水槽付き家具。
【請求項５】
左右一対の側板と、前記一対の側板の下部の間に設けられる底板と、前記一対の側板の前記建築壁側の側部の間に設けられる後横桟と、前記後横桟の上方又は下方に設けられる背板とを有し、前記立壁の下方に設けられるキャビネットを備え、
前記後横桟及び背板のうち少なくともいずれか一方の上方に、前記建築壁と前記後横桟及び背板の前面とを段差なく繋げる段差抑制部を設けることを特徴とする請求項１〜４のいずれか１項に記載の水槽付き家具。
【発明の詳細な説明】
【技術分野】
【０００１】
本発明は、水栓装置が取り付けられる水槽付き家具に関する。
【背景技術】
【０００２】
洗面化粧台等、手洗いや水汲みに使用する水を水槽で受ける水槽付き家具では、その水槽に近接して設けられる立壁に水栓装置を取り付ける構造が広く採用されている。
【０００３】
下記特許文献１には、洗面化粧台において水槽（ボール２）の奥側に立壁（壁面３）が設けられ、その立壁の背面側に給水管を配設する構造が開示されている。給水管の水槽側の端部は、立壁に形成された貫通孔（取付開口９）を挿通して前面側に引き出され、水栓本体と接続される。この水栓本体は、取付金具等を介して立壁部の前面に取り付けられる。これにより、水栓本体と給水管との接続作業と、水栓本体の立壁部への取付作業を、立壁の前面側のみで行うことができる。
【先行技術文献】
【特許文献】
【０００４】
【特許文献１】特開平９−１４４０８３号公報
【発明の概要】
【発明が解決しようとする課題】
【０００５】
洗面化粧台等の水槽付き家具は、一般的に、その背面が建築壁に当接するよう設置される。したがって、水槽とその奥側に立設する立壁とを有する洗面化粧台を、その背面が建築壁に当接するように配置した場合、給水管は、洗面化粧台の立壁と建築壁との間に形成される隙間に配設されることになる。
【０００６】
建築壁と立壁との距離を短くし、洗面化粧台をコンパクトに構成するためには、上記隙間を小さく構成することが好ましい。しかしながら、上記隙間を小さくすると、洗面化粧台の背面を建築壁に当接するよう設置した後では、その小さな隙間で給水管を取り回さなければならなくなる。したがって、特許文献１のように、給水管の端部を立壁の貫通孔から前面側に引き出す作業も大変困難なものとなる。特に、いわゆる１次圧が加わる給水管は、安全面の要求から高圧に耐え得る耐圧ホースが採用されることが多く、取り回しに十分な可撓性を確保することが難しいものである。このように可撓性に乏しい耐圧ホースの端部を貫通孔から前面側に引き出そうとすると、その作業は一層困難となる。
【０００７】
給水管の配設作業を容易にする方法として、洗面化粧台を建築壁に当接させて設置する前に、予め洗面化粧台の立壁の背面側に給水管を配設しておくことが考えられる。洗面化粧台を設置する前に、十分な作業スペースにおいて給水管の配設作業を行っておくためである。
【０００８】
しかしながら、法規上、水道配管からの給水が可能となるよう給水管の配設作業を行えるのは、所定の資格を有する者（水道工事有資格者）に限られる。洗面化粧台の商流が水道工事有資格者を経由しない場合もあり、洗面化粧台を設置する設置業者（水道工事無資格者）と、給水管を配設する配設業者（水道工事有資格者）が異なる場合が多々ある。このような場合には、まず設置業者が洗面化粧台を現場に搬入し、一旦洗面化粧台を建築壁に当接させた上で固定する。その固定作業とは別のタイミングで、配設業者が洗面化粧台を建築壁に固定しているネジを取り外し、洗面化粧台を建築壁から引き離した上で給水管の配設作業を行い、その後、洗面化粧台を建築壁に当接させて再固定しなければならない。
【０００９】
上記のような煩雑な作業を回避するために、先に設置業者が建築壁に当接させて設置しておいた洗面化粧台を移動させることなく、前面側から立壁部の貫通孔に給水管を挿入することで、給水管を立壁部と建築壁の間の隙間に配設する方法が考えられる。しかしながら、かかる方法では、挿入された給水管が建築壁と干渉し、建築壁を損傷してしまうというおそれがあった。つまり、上記のように給水管に耐圧ホースを採用した場合、可撓性に乏しい耐圧ホースがその端部から貫通孔に挿入されると、その端部が建築壁と強く干渉し、建築壁を削ってしまうおそれがある。
【００１０】
本発明はこのような課題に鑑みてなされたものであり、その目的は、洗面化粧台といった水槽付き家具が建築壁に固定されたままの状態であっても、建築壁を損傷させることなく、容易に水栓装置を取り付けることができる水槽付き家具を提供することにある。
【課題を解決するための手段】
【００１１】
上記課題を解決するために、本発明に係る水槽付き家具は、背面が建築壁と隙間を空けて対向するよう立設される立壁と、前記立壁の前面側に設けられ水を受ける水槽とを有し、前記建築壁に対し直接又は間接的に取り付けられるカウンターと、前記立壁に取り付けられる水栓装置と、を備える水槽付き家具であって、前記水栓装置は、水を供給する給水配管と、湯を供給する給湯配管と、前記給水配管及び給湯配管が接続され供給される湯と水を混合する湯水混合栓と、を有し、前記給水配管及び給湯配管は、その少なくとも一方が耐圧ホースであり、前記湯水混合栓が前記立壁の前面側に配設される一方、前記給水配管及び給湯配管は前記立壁に形成された貫通孔に前面側から挿入されて前記立壁の背面側に配設され、前記貫通孔は、前記給水配管及び給湯配管を、前記貫通孔の前面側の上方から前記立壁の背後となる前記水槽の後方領域に向けて斜め下向きへの挿入を可能とすることを特徴としている。
【００１２】
本発明に係る水槽付き家具は、給水配管及び給湯配管を前面側の上方から立壁の背後となる水槽の後方領域に向けて斜めに挿入することにより、給水配管及び給湯配管の端部と建築壁との干渉は、抑制される。したがって、給水配管及び給湯配管の少なくとも一方が可撓性に乏しい耐圧ホースであっても、それぞれの端部によって建築壁を損傷させることなく立壁の背面側に配設し、水栓装置を立壁の前面側から容易に取り付けることができる。このため、水槽付き家具を設置する設置業者と、給水配管及び給湯配管を配設する配設業者が異なる場合であっても、設置業者が水槽付き家具を設置した後に、配設業者がその水槽付き家具を移動させることなく配設作業を行うことが可能となる。
【００１３】
また、公知の技術のように、給水配管及び給湯配管のそれぞれの端部を立壁の背面側から前面側に引き出すという困難な作業を必要としないほか、端部と湯水混合栓との接続を設置現場で行う必要もないため、水栓装置の取り付け作業が容易となる。
【００１４】
また本発明に係る水槽付き家具では、前記水栓装置は、前記貫通孔と前記湯水混合栓との間の隙間を前記立壁の前面側から覆うフランジを有することも好ましい。
【００１５】
この好ましい態様では、貫通孔が給水配管及び給湯配管を斜め方向に挿入可能とするために大きく形成され、この貫通孔と湯水混合栓との間に生ずる隙間を覆うためのフランジが水栓装置に一体化されているので、貫通孔と湯水混合栓の間に生じる隙間を覆うための部材を新たに追加する必要がない。したがって、施工の複雑化を避けることが可能となる。
【００１６】
また本発明に係る水槽付き家具では、前記貫通孔を、上下方向に広がる長孔とすることも好ましい。
【００１７】
この好ましい態様では、貫通孔と湯水混合栓との間の隙間を覆うフランジが横に大きく広がることがないので、フランジが目立ちにくくなり、意匠性を損ねることがない。また、フランジが横に広がらないので、フランジの上端部に水が溜まりにくくすることが可能となる。
【００１８】
また本発明に係る水槽付き家具では、前記湯水混合栓は、前記フランジの中心よりも上方に偏った位置に配設することも好ましい。
【００１９】
この好ましい態様では、フランジがより一層目立たなくなる。
【００２０】
また本発明に係る水槽付き家具では、左右一対の側板と、前記一対の側板の下部の間に設けられる底板と、前記一対の側板の前記建築壁側の側部の間に設けられる後横桟と、前記後横桟の上方又は下方に設けられる背板とを有し、前記立壁の下方に設けられるキャビネットを備え、前記後横桟及び背板のうち少なくともいずれか一方の上方に、前記建築壁と前記後横桟及び背板の前面とを段差なく繋げる段差抑制部を設けることも好ましい。
【００２１】
この好ましい態様では、段差抑制部によって、貫通孔から斜めに挿入された給水配管及び給湯配管の端部が後横桟あるいは背板に引っ掛かるのを防止して、給水配管及び給湯配管をスムーズに押し込むことが可能となる。
【発明の効果】
【００２２】
本発明によれば、建築壁を損傷させることなく、容易に水栓装置を取り付けることができる水槽付き家具を提供することができる。
【図面の簡単な説明】
【００２３】
【図１】本発明の実施形態に係る洗面化粧台の斜視図である。
【図２】本発明の実施形態に係る洗面化粧台のカウンター及びキャビネットの断面図である。
【図３】本発明の実施形態に係る洗面化粧台の貫通孔の斜視図である。
【図４】本発明の実施形態に係る洗面化粧台の水栓装置挿入直後の断面図である。
【図５】本発明の実施形態に係る洗面化粧台の水栓装置挿入途中の断面図である。
【発明を実施するための形態】
【００２４】
以下、添付図面を参照しながら本発明の実施の形態について説明する。理解を容易にするため、各図面において同一の構成要素に対しては可能な限り同一の符号を付し、重複する説明は省略する。
【００２５】
まず、図１乃至図３を参照して、本発明の実施形態に係る洗面化粧台の構成を説明する。図１は、本発明の実施形態に係る洗面化粧台の斜視図であり、図２は、本発明の実施形態に係る洗面化粧台のカウンター及びキャビネットの断面図であり、図３は、本発明の実施形態に係る洗面化粧台の貫通孔の斜視図である。
【００２６】
図１に示すように、洗面化粧台１は、洗面室床Ｆに載置されるとともに、その背面を洗面室壁Ｗに当接させて設置されている。洗面化粧台１は、カウンター１０と、化粧鏡ユニット２０と、キャビネット３０と、水栓装置４０を備えている。
【００２７】
カウンター１０は、その背面が洗面室壁Ｗに直接又は固定のための金具等やキャビネット３０を介して間接的に取り付けられており、略垂直な前面を有する立壁１１と、その立壁１１の前面側に設けられる水槽１２を有する。立壁１１と水槽１２は、樹脂材料で一体的に形成されている。水槽１２は椀状に形成され、その内部で水を受けるとともに、その水を貯留することも可能である。図２に示すように、水槽１２の下面には、受けた水を下方に排出するための排水口１３が形成されており、排出された水は、この排水口１３に接続される排水管（図示せず）によって下水管側に導かれる。なお、立壁１１には、その前方と後方とを連通する貫通孔１４（図２、図３参照）が形成されている。
【００２８】
化粧鏡ユニット２０は箱状に形成され、内部に歯ブラシ等を収納可能である。図１に示すように、化粧鏡ユニット２０は立壁１１上に配置されるとともに、背面が洗面室壁Ｗに対し直接又は間接的に取り付けられている。また、その前面には、使用者の姿を映す化粧鏡２１が取り付けられており、その上部には、前方に投光する照明２２を備えている。
【００２９】
キャビネット３０は、カウンター１０の下方に配置されており、左右一対の側板３１Ｌ、３１Ｒと、前面を構成する扉３２を備えている。また、図２に示すように、側板３１Ｌ、３１Ｒの下部の間に、それぞれを連結するように底板３３が設けられる。また、図２及び図３に示すように、側板３１Ｌ、３１Ｒの洗面室壁Ｗ側の側部の間には、それぞれを連結するように後横桟３４が設けられている。これら側板３１Ｌ、３１Ｒ、扉３２、底板３３、後横桟３４により、キャビネット３０は内部に収納空間３５を形成する箱状を呈している。洗面化粧台１の使用者は、扉３２を開閉することで、前方から収納空間３５にアプローチし、収納や取り出しを行うことができる。さらに、一対の側板３１Ｌ、３１Ｒの間であって、後横桟３４の下方且つ前方には、後横桟３４よりも厚みが小さい背板３６が設けられており、使用者が扉３２を開けた際に、収納空間３５を介して洗面室壁Ｗが見えないよう覆っている。また、後横桟３４及び背板３６のうち少なくともいずれか一方に、洗面室壁Ｗと後横桟３４及び背板３６の前面とを段差なく繋げる段差抑制部３９を設けている。この段差抑制部３９は、後横桟３４の上部の前面と洗面室壁Ｗとを傾斜面によって段差なく繋いでいる。
【００３０】
図２に示すように、水栓装置４０は、湯水混合栓４１と、この湯水混合栓４１に接続される給水配管４２ｃ、給湯配管４２ｈ、フレキシブルホース４２ｆと、フレキシブルホース４２ｆに接続される吐水部４５を備えている（図２では、給水配管４２ｃと給湯配管４２ｈは紙面垂直方向に重合しているため、手前側の給水配管４２ｃのみが表示されている）。
【００３１】
給水配管４２ｃ及び給湯配管４２ｈは、いずれも耐圧性の高い耐圧ホースであり、それぞれ上方側の端部で金属製のエルボ４３ｃ、４３ｈを介して湯水混合栓４１と接続され、下方に伸びている。給水配管４２ｃ及び給湯配管４２ｈのそれぞれの下方側の端部には、袋ナット４４ｃ、４４ｈがそれぞれ設けられている。給水配管４２ｃは、この袋ナット４４ｃによって、キャビネット３０の収納空間３５に設けられる止水栓３７と通水可能に接続される。また、給湯配管４２ｈは、その袋ナット４４ｈが収納空間３５に配置される給湯機（図示せず）に接続され、湯の供給を受けるように接続される。
【００３２】
湯水混合栓４１は、給水配管４２ｃと給湯配管４２ｈから供給される湯と水を、その内部に流入させて混合する。後述するように、湯水混合栓４１は、カウンター１０の立壁１１に形成される貫通孔１４にその一部が挿入され、立壁１１の前面側に配設されている。湯水混合栓４１の前方側には、レバー状のハンドル４６が設けられている。使用者は、このハンドル４６を操作することにより、湯水混合栓４１に流入する湯と水の比率の変更と、混合した湯水のフレキシブルホース４２ｆへの供給又は停止と、供給するその湯水の流量の変更を行うことが可能である。なお、湯水混合栓４１には、フランジ部４７が一体的に設けられている。
【００３３】
吐水部４５は、カウンター１０の立壁１１の前面側に着脱自在であり、使用者は吐水部４５を立壁１１から取外すことで、所望の位置で湯水の吐出を行わせることができる。吐水部４５には、貫通孔１４とは別に立壁１１に形成されている開口（図示せず）を介して、立壁１１の背面側に配設されているフレキシブルホース４２ｆと接続されている。吐水部４５は、フレキシブルホース４２ｆから供給される湯水を、シャワー、整流など、種々の形態で吐出することができる。
【００３４】
フレキシブルホース４２ｆは給水配管４２ｃや給湯配管４２ｈに比べて可撓性が高いホースであり、吐水部４５が立壁１１に取り付けられた状態では、その大部分が立壁１１の背面側に配設される。一方、吐水部４５が立壁１１から取り外されると、それに伴って立壁１１に形成されている開口（図示せず）から前面側に引き出される。湯水混合栓４１で混合された湯水は、このフレキシブルホース４２ｆを介して吐水部４５に供給される。
【００３５】
このように構成された洗面化粧台は、立壁１１に形成された貫通孔１４は、給水配管４２ｃと給湯配管４２ｈとフレキシブルホース４２ｆを同時に斜め方向に挿入するために、貫通孔１４に対して垂直方向から挿入する場合よりも大きく形成されている。
これにより、貫通孔１４に対して、給水配管４２ｃ及び給湯配管４２ｈを貫通孔１４の前面側の上方から立壁１１の背後となる水槽１２の後方領域１５に向けて斜め方向に挿入することが可能である。斜め方向に挿入された給水配管４２ｃ、給湯配管４２ｈの端部は、洗面室壁Ｗにほとんど干渉することがなく、給水配管４２ｃ、給湯配管４２ｈの端部で洗面室壁Ｗを損傷させることなく、立壁１１の背面側に無理なく配設することができる。また、このために、大きめに形成された貫通孔１４と湯水混合栓４１との間には隙間が生ずるが、その隙間は、湯水混合栓４１に設けられたフランジ４７で前方から覆われる。
【００３６】
貫通孔１４は、例えば、図３に示すように、左右方向の幅よりも上下方向の高さの方が大きい縦長の長孔とされている。これにより、フランジ４７は湯水混合栓４１に対して左右に大きく広げる必要がない。さらに、湯水混合栓４１は、フランジ４７に対して相対的に上方に偏って配設されている。これにより、フランジ４７の多くは湯水混合栓４１の下方となるので、フランジ４７が湯水混合栓４１やハンドル４６の背後となるので、フランジ４７が目立ちにくくなる。
【００３７】
次に、図２、３に加えて図４及び図５を参照して、水栓装置の立壁への取り付け工程について説明する。図４は、本発明の実施形態に係る洗面化粧台の水栓装置挿入直後の断面図であり、図５は、本発明の実施形態に係る洗面化粧台の水栓装置挿入中の断面図である。
【００３８】
＜第１の工程＞
まず、洗面化粧台１を移動させ、その背面を洗面室壁Ｗに当接させて設置する。
【００３９】
＜第２の工程＞
次に、図４に示すように、水栓装置４０の給水配管４２ｃ、給湯配管４２ｈ、フレキシブルホース４２ｆを、それらの端部に設けられた袋ナット４４ｃ、４４ｈ、４４ｆから押し込むようにして貫通孔１４に挿入する。給水配管４２ｃ及び給湯配管４２ｈは可撓性に乏しい耐圧ホースであるから、それらの一部のみを大きく曲げて貫通孔１４に挿入することは難しい。したがって、挿入の際には、給水配管４２ｃ、給湯配管４２ｈ、フレキシブルホース４２ｆを立壁１１の前面部の上方から立壁１１の背後の水槽１２の後方領域１５に向けて、斜め下向きに押し込んでいく。
【００４０】
貫通孔１４を通過した袋ナット４４ｃ、４４ｈ、４４ｆは、給水配管４２ｃ等を押し込むと、斜め下方の向きに押し込まれるので、洗面室壁Ｗに当たることなく水槽１２の背後となる後方領域１５に到達する。さらに、給水配管４２ｃ等を押し込むと、後横桟３４の上端３４Ｔに取り付けた段差抑制部３９によって、給水配管４２ｃ等の端部は後横桟３４の上端３４Ｔに引っ掛かることなく、背板３６の前面側、すなわち、キャビネット３０の収納空間３５に到達する。
【００４１】
起立させた湯水混合栓４１に設けられているフランジ部４７が、立壁１１の貫通孔１４の周縁に当接するまで水栓装置４０を押し込んだら、フランジ部４７と取付金具（図示せず）をネジで締結して、水栓装置４０の立壁１１への取り付けは完了である。この時、袋ナット４４ｃ、４４ｈ、４４ｆは、キャビネット３０の収納空間３５に位置している。
【００４２】
次に、キャビネット３０の収納空間３５に垂下している給水配管４２ｃと止水栓３７を接続する。また、給湯配管４２ｈと給湯機（図示せず）を接続する。具体的には、給水配管４２ｃの端部の袋ナット４４ｃと、止水栓３７の上端部に設けられている雄ネジ部３８を螺合することによって、止水栓３７と給水配管４２ｃが給水可能に接続される。また、収納空間３５に配置される給湯機の湯の出口と、給湯配管４２ｈの端部の袋ナット４４ｈを接続することにより、給湯可能に接続される。
【００４３】
さらに、フレキシブルホース４２ｆの端部の袋ナット４４ｆを、吐水部４５側のフレキシブルホース４２ｆの端部に接続する。すなわち、フレキシブルホース４２ｆは、湯水混合栓４１に接続された部分と、吐水部４５に接続された部分に分割されたものを、キャビネット３０の収納空間３５の中で接続するものである。このようにしてフレキシブルホース４２ｆを中間位置で接続することで、水栓装置４０の取り付け工程は完了となる。
【００４４】
以上のような水栓装置４０の取り付け工程において、給水配管４２ｃ等の端部の袋ナット４４ｃ、４４ｈ、４４ｆと洗面室壁Ｗとの干渉は、給水配管４２ｃ等を大きめに形成された貫通孔１４から斜め下向きに挿入することによって抑制され、洗面室壁Ｗを激しく傷つけることなく給水配管４２ｃ等の配設が可能となる。したがって、給水配管４２ｃ、給湯配管４２ｈが可撓性に乏しい耐圧ホースであっても、それぞれの端部に設けられた袋ナット４４ｃ、４４ｈによって洗面室壁Ｗを損傷させることなく、損傷した洗面室壁Ｗに引っ掛かることなく、立壁１１の背面側に配設し、水栓装置４０を立壁の前面側から容易に取り付けることができる。このため、洗面化粧台１を設置する設置業者と、給水配管４２ｃ及び給湯配管４２ｈを配設する配設業者が異なる場合であっても、設置業者が洗面化粧台１を設置した後に、配設業者がその洗面化粧台１を移動させることなく配設作業を行うことが可能となる。
【００４５】
また、後横桟３４の上端３４Ｔに、後横桟３４の前面と洗面室壁Ｗとを段差なく繋げる段差抑制部３９を設けているため、立壁１１の貫通孔１４への挿入中に、給水配管４２ｃや給湯配管４２ｈが垂下し、それらの端部の袋ナット４４ｃ、４４ｈ、４４ｆがキャビネット３０の後横桟３４の上端３４Ｔに引っ掛かることがない。したがって、給水配管４２ｃ及び給湯配管４２ｈの配設作業を効率良く行うことが可能となる。
【００４６】
以上、洗面化粧台１の具体例を参照しつつ、本発明に係る水槽付き家具の実施の形態について説明した。しかし、本発明は、この実施の形態に限定されるものではない。
例えば、貫通孔１４から斜め下向きに挿入した給水配管４２ｃ等がキャビネット３０の背板３６の前面側まで洗面室壁Ｗに当たらずに到達させることができる程度に貫通孔１４を大きくすれば、段差抑制部３９を設けなくともよい。また、製造工程が増えるものの、湯水混合栓４１に一体的に設けられたフランジ４７を、湯水混合栓１４とは別体とすることも可能である。また、立壁１１の貫通孔１４周辺を上側が後方に傾く傾斜面とすれば、貫通孔１４の広がりを抑制することが可能である。
【００４７】
また、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００４８】
１：洗面化粧台
１０：カウンター
１１：立壁
１２：水槽
１４：貫通孔
３０：キャビネット
３１Ｌ、３１Ｒ：側板
３３：底板
３４：後横桟
３５：収納空間
３６：背板
３９：段差抑制部
４０：水栓装置
４１：湯水混合栓
４２ｃ：給水配管
４２ｈ：給湯配管
４２ｆ：フレキシブルホース
４５：吐水部
４７：フランジ
【図１】
2015063859.tif 000003
【図２】
2015063859.tif 000004
【図３】
2015063859.tif 000005
【図４】
2015063859.tif 000006
【図５】
2015063859.tif 000007